(57)【特許請求の範囲】
【請求項１】
複数の部材を組み立てることで構成された組立構成体と、
前記複数の部材に設けられた電気部品に電気的に接続された複数の配線部材と、
前記複数の配線部材の端部に取り付けられて該端部を電気的に接続するための複数の第１接続部と、
を備えた遊技機において、
前記複数の部材とは異なる第１部材を配置可能であると共に、前記組立構成体の所定位置に取り付け可能な取付部材と、
前記組立構成体に前記第１部材に対向しないように設けられて、前記複数の第１接続部が電気的に接続される複数の第２接続部が配設された接続用配設部と、
を備え、
前記取付部材は、前記第１部材が配置される部分よりも外側に形成されて、該取付部材を前記組立構成体の所定位置に取り付けた場合に、少なくとも前記接続用配設部が露出する孔部又は切欠部を有し、
前記取付部材を前記組立構成体の所定位置に取り付けた状態で、前記孔部又は前記切欠部を介して前記複数の第１接続部を前記複数の第２接続部に取り付け及び取り外し可能に構成され、
前記第１部材は、前記取付部材の前記組立構成体に対向する前面部に取り付けられる表示装置を含み、
前記取付部材の前記表示装置に対向する背面部に着脱可能に配置される第１制御基板収容部と、
前記取付部材の前記第１制御基板収容部の下側に着脱可能に配置される第２制御基板収容部と、
を備え、
前記孔部又は前記切欠部は、前記第２制御基板収容部によって覆われることを特徴とする遊技機。
【発明の詳細な説明】
【技術分野】
【０００１】
本発明は、パチンコ遊技機等の遊技機に関するものである。
【背景技術】
【０００２】
従来より、遊技盤の背面側に前面側が開放された略箱体状の裏セット盤が配設されたパチンコ遊技機等の遊技機が種々提案されている。
【０００３】
例えば、下記特許文献１に記載された遊技機では、遊技領域が前面に設けられた板状部材の裏側には、内側に可動役物等配置される設置部材が着脱自在に取り付けられている。この設置部材は、板状部材の外郭形状よりも僅かに小さい略矩形状の背面板と、背面板の外周縁部から前方に突出する画壁部とから前方に開口した箱状に形成されている。そして、板状部材と設置部材との間に画成された空間に、可動役物等の各種演出装置が設置される。そして、設置部材の背面には、板状部材に配設された各種センサや、設置部材内に設置された各種演出装置に接続される配線部材が引き回された後、設置部材の背面下方に配設された第１中継基板にそれぞれコネクタ接続されるように構成されている。
【先行技術文献】
【特許文献】
【０００４】
【特許文献１】特開２０１５−２９７３６号公報
【発明の概要】
【発明が解決しようとする課題】
【０００５】
しかしながら、前記した特許文献１に記載された遊技機では、設置部材の背面には液晶パネルが収容ケースに収容された図柄表示装置や制御基板が収納された複数の制御装置等が取り付けられる。このため、設置部材の背面下方に配設された第１中継基板にコネクタ接続された配線部材などの取り外しや確認等を行う場合には、多くの取付部品を外す必要が発生し、配線部材の取り外し作業や取り付け作業が煩雑になる虞があった。
【０００６】
かかる問題に鑑み、本発明は、接続用配設部を覆う取付部材を外すことなく、接続用配設部に電気的に接続された配線部材の取り外しや取り付け作業を簡単に行うことが可能となる遊技機を提供することを目的とする。
【課題を解決するための手段】
【０００７】
前記目的を達成するため請求項１に係る遊技機は、複数の部材を組み立てることで構成された組立構成体と、前記複数の部材に設けられた電気部品に電気的に接続された複数の配線部材と、前記複数の配線部材の端部に取り付けられて該端部を電気的に接続するための複数の第１接続部と、を備えた遊技機において、前記複数の部材とは異なる第１部材を配置可能であると共に、前記組立構成体の所定位置に取り付け可能な取付部材と、前記組立構成体に前記第１部材に対向しないように設けられて、前記複数の第１接続部が電気的に接続される複数の第２接続部が配設された接続用配設部と、を備え、前記取付部材は、前記第１部材が配置される部分よりも外側に形成されて、該取付部材を前記組立構成体の所定位置に取り付けた場合に、少なくとも前記接続用配設部が露出する孔部又は切欠部を有し、前記取付部材を前記組立構成体の所定位置に取り付けた状態で、前記孔部又は前記切欠部を介して前記複数の第１接続部を前記複数の第２接続部に取り付け及び取り外し可能に構成され、前記第１部材は、前記取付部材の前記組立構成体に対向する前面部に取り付けられる表示装置を含み、前記取付部材の前記表示装置に対向する背面部に着脱可能に配置される第１制御基板収容部と、前記取付部材の前記第１制御基板収容部の下側に着脱可能に配置される第２制御基板収容部と、を備え、前記孔部又は前記切欠部は、前記第２制御基板収容部によって覆われることを特徴とする。
【発明の効果】
【０００８】
請求項１に記載の発明によれば、複数の部材を組み立てることで構成された組立構成体と、前記複数の部材に設けられた電気部品に電気的に接続された複数の配線部材と、前記複数の配線部材の端部に取り付けられて該端部を電気的に接続するための複数の第１接続部と、を備えた遊技機において、前記複数の部材とは異なる第１部材を配置可能であると共に、前記組立構成体の所定位置に取り付け可能な取付部材と、前記組立構成体に前記第１部材に対向しないように設けられて、前記複数の第１接続部が電気的に接続される複数の第２接続部が配設された接続用配設部と、を備え、前記取付部材は、前記第１部材が配置される部分よりも外側に形成されて、該取付部材を前記組立構成体の所定位置に取り付けた場合に、少なくとも前記接続用配設部が露出する孔部又は切欠部を有し、前記取付部材を前記組立構成体の所定位置に取り付けた状態で、前記孔部又は前記切欠部を介して前記複数の第１接続部を前記複数の第２接続部に取り付け及び取り外し可能に構成され、前記第１部材は、前記取付部材の前記組立構成体に対向する前面部に取り付けられる表示装置を含み、前記取付部材の前記表示装置に対向する背面部に着脱可能に配置される第１制御基板収容部と、前記取付部材の前記第１制御基板収容部の下側に着脱可能に配置される第２制御基板収容部と、を備え、前記孔部又は前記切欠部は、前記第２制御基板収容部によって覆われるため、接続用配設部を覆う取付部材を外すことなく、接続用配設部に電気的に接続された配線部材の取り外しや取り付け作業を簡単に行うことが可能となる。
【０００９】
つまり、第１部材を配置可能な取付部材を組立構成体の所定位置に取り付けた状態で、孔部又は切欠部を介して複数の配線部材の第１接続部を接続用配設部の複数の第２接続部に取り付け及び取り外し可能に構成されている。これにより、取付部材を組立構成体に取り付けた状態で、取付部材に形成された孔部又は切欠部を介して、配線部材の端部に取り付けられた第１接続部と、接続用配設部の第２接続部との取り外しや取り付け作業を簡単に行うことが可能となる。従って、取付部材の孔部又は切欠部に重なって取り付けられた部材を取り外すだけで、この孔部又は切欠部が露出するため、接続用配設部に電気的に接続された配線部材の取り外しや取り付け作業を迅速に行うことが可能となる。
【００１０】
また、第２制御基板収容部を取付部材から取り外すことによって、孔部又は切欠部が露出するため、接続用配設部に電気的に接続された配線部材の取り外しや取り付け作業を迅速に行うことが可能となる。また、孔部又は切欠部は、第２制御基板収容部によって覆われるため、接続用配設部及び配線部材の破損や汚れを簡易な構成で防止することが可能となる。
【図面の簡単な説明】
【００１１】
【図１】本実施形態に係る遊技機の斜視図である。
【図２】遊技盤の正面図である。
【図３】図１に示した遊技機の裏側を示す図である。
【図４】遊技盤に取り付けられた状態の裏セット盤の後側を示す斜視図である。
【図５】裏セット盤と取付部材の分解斜視図である。
【図６】図５に示す取付部材の背面側正面図である。
【図７】図６に示す取付部材から主制御基板ケースを取り外した状態の斜視図である。
【図８】主制御基板ケースが取り外された状態における、中継基板にコネクタ接続された配線を示す正面図である。
【図９】主制御基板ケースが取り外された状態における、中継基板にコネクタ接続された配線を示す下方斜視図である。
【発明を実施するための形態】
【００１２】
以下、図面を参照しつつ本発明にかかる遊技機の一実施形態を図１乃至図９に基づいて説明する。先ず、本実施形態に係る遊技機１の概略構成について図１乃至図３に基づいて説明する。図１及び図２に示すように、遊技機１は、遊技媒体として遊技球を用いるパチンコ遊技機であって、遊技盤２の縁に外側誘導レール３および内側誘導レール４が略円形に配置され、上記外側誘導レール３および内側誘導レール４によって区画された部分には遊技球が発射される遊技領域６が上記遊技盤２上に設けられている。上記遊技領域６には遊技球を誘導する誘導釘Ｊが遊技盤２の表面に設けられている。
【００１３】
また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を上記遊技領域６へ向けて弾発発射するための発射装置６４、遊技者による操作可能な遊技ボタンスイッチ６７や上下左右ボタン６８等が設けられている。尚、図１における符号Ｗ１は遊技機の外枠、Ｗ２は外枠Ｗ１に取り付けられた前枠、Ｇは上記前枠Ｗ２に開閉可能にヒンジで取り付けられたガラス枠である。以下、遊技機１の各構成について説明する。
【００１４】
遊技ボタンスイッチ６７及び上下左右ボタン６８は、上側球受け皿３６の手前側上面に設けられている。遊技ボタンスイッチ６７は、押下可能な押しボタンスイッチからなり、正しく操作されたことを検知する接点型のリミットセンサーが内蔵され、押下操作に対応した出力信号を出力可能に構成されている。上下左右ボタン６８は、それぞれ独立して操作可能な上ボタン、下ボタン、右ボタン及び左ボタンで構成され、十字形に配置されている。上ボタン、下ボタン、右ボタン及び左ボタンは、押下可能な押しボタンスイッチからなり、正しく操作されたことを検知する接点型のリミットセンサーが内蔵され、押下操作に対応した出力信号を出力可能に構成されている。
【００１５】
上記遊技盤２に設けられた遊技領域６の中央位置には、表示窓７が貫通形成されている。また、遊技盤２の裏面には、図４に示すように、裏セット盤２１が取り付けられ、その裏セット盤２１の背面部に固定される取付部材２２の前面部には、表示装置１０が取り付けられている。そして、図２に示すように、表示装置１０の表示部（表示領域）１１が表示窓７を通して前方から視認可能に構成されている。
【００１６】
また、表示窓７の周縁部には、遊技盤２の前面側から突出して表示装置１０の表示部１１を囲むように包囲枠体８が装着されている。包囲枠体８の左辺部分における上下方向の略中央部から下端寄りの位置に渡る範囲には、所謂ワープ通路である案内通路部１３が設けられている。また、包囲枠体８の下辺部分には、案内通路部１３内を転動落下して排出された遊技球が転動可能な転動ステージ１５が、案内通路部１３に連続して設けられている。この案内通路部１３及び転動ステージ１５は、透明な樹脂で構成され、奥側の表示装置１０の表示部（表示領域）１１及び内部の遊技球が視認可能に構成されている。
【００１７】
また、遊技領域６には、中心線上の上部から下部に向かって順に表示装置１０、上側始動入賞口４１、下側始動入賞口４２、アウト口４８が配置されている。上記上側始動入賞口４１及び下側始動入賞口４２の左には左袖入賞口５１、左落とし入賞口５２が配置されている。また、上記案内通路部１３の下方には風車７６が設けられている。また、上記表示装置１０の右には右普通図柄変動開始用ゲート５６が設けられている。
【００１８】
また、上記上側始動入賞口４１及び下側始動入賞口４２の斜め右上方には、大入賞口４５が配置されている。また、大入賞口４５の右側には右落とし入賞口５３、右袖入賞口５４が設けられている。上記左袖入賞口５１、左落とし入賞口５２、右落とし入賞口５３、右袖入賞口５４は、それぞれ上方から入球可能な入球口を上部に有している。また、左袖入賞口５１と右袖入賞口５４の入賞球を検出する左袖入賞口用検出スイッチと右袖入賞口用検出スイッチ、上記左落とし入賞口５２と右落とし入賞口５３の入賞球を検出する左落とし入賞口用検出スイッチと右落とし入賞口用検出スイッチが、それぞれ対応する遊技盤２の背面に設けられている。
【００１９】
また、大入賞口４５は、遊技盤２の背面側に設けられた不図示の大入賞口開放用ソレノイドによって開閉する開閉板４６を備えている。この大入賞口４５は、通常は開閉板４６が閉じた状態とされ、当否判定結果が大当たりの場合に実行される大当たり遊技（特典付与）時に、所定ラウンドとして本実施形態では１５ラウンド（１５回）開放される。また、大入賞口４５内には、大入賞口４５に入賞した入賞球を検出する入賞球数カウントスイッチ（カウントセンサ）が設けられている。
【００２０】
上記上側始動入賞口４１、下側始動入賞口４２、大入賞口４５、左袖入賞口５１、左落とし入賞口５２、右落とし入賞口５３、右袖入賞口５４は、上記遊技領域６に発射された遊技球が入賞（入球）可能な複数の入賞領域に相当する。上記の各入賞口（入賞領域）に遊技球が入賞して入賞（入球）が検出されると１入賞球の検出に対して所定個数の賞品球（遊技球）が遊技者に払い出される。上記１入賞球の検出に対する賞品球の払出個数は、上記入賞口毎に設定されている。
【００２１】
上記表示装置１０は、図柄等が表示可能なものであって、液晶、ドットマトリックスもしくはＬＥＤ表示装置等の画像表示装置からなる。本実施形態では、液晶表示器（ＴＦＴ−ＬＣＤモジュール）で構成されている。
【００２２】
上記表示装置１０（表示手段）は、表示部（表示領域）１１と、表示部１１の斜め左下隅部に表示される略四角形の普通図柄表示部５０とを有する。表示部１１は、特別図柄を表示したり、所定の演出映像・画像を表示するために用いられる。表示部１１には、左右に並ぶ左特別図柄（左判定図柄、左識別情報）と中特別図柄（中判定図柄、中識別情報）と右特別図柄（右判定図柄、右識別情報）が、所定時間変動表示された後、所定の演出判定結果に基づき左特別図柄、中特別図柄、右特別図柄が確定停止特別図柄（確定停止判定図柄、確定停止識別情報）として停止表示される。この際、表示部１１には、上記特別図柄に加えて演出映像・画像（キャラクタ、背景、文字等）が表示されることもある。
【００２３】
上記普通図柄表示部５０は、記号あるいは絵（キャラクタ）等の小当たり判定用普通図柄を変動表示および停止表示する。本実施形態における普通図柄表示部５０に変動および停止表示される普通図柄は、『○』と『×』の２種類からなり、小当たり（普通図柄当たり）の場合には小当たり普通図柄『○』で停止表示され、一方、小当たり外れ（普通図柄外れ）の場合には小当たり外れ普通図柄『×』で停止表示される。
【００２４】
上記上側始動入賞口４１は、上方が開口した形状からなって遊技球が上方から入賞（入球）可能となっている。また、上記下側始動入賞口４２は、始動入賞領域に相当し、背面側に設けられた不図示の下側始動入賞口用ソレノイドによって開閉する開閉扉４２Ａを備えている。この下側始動入賞口４２は、通常時は開閉扉４２Ａが閉じた状態とされている。そして、上記普通図柄表示部５０で普通図柄が変動した後、小当たりを示す特定の普通図柄（本実施形態では『○』）で確定停止表示された時に、開閉扉４２Ａは、遊技球が入賞困難な閉じた状態と入賞容易な前面側へ開いた開状態間を変化可能に制御される。
【００２５】
また、上記遊技盤２の背面には、上側始動入賞口検出スイッチ（上側始動入賞口センサ）と下側始動入賞口検出スイッチ（下側始動入賞口センサ）が入賞球用通路に設けられており、上記上側始動入賞口４１と下側始動入賞口４２への遊技球のそれぞれの入賞（入球）を検出するように構成されている。本実施形態において上記上側始動入賞口４１及び下側始動入賞口４２への遊技球の入賞（入球）検出は、所定の乱数値（数値データ）を取得するための起因および上記特別図柄の変動表示開始の起因とされている。上記上側始動入賞口４１及び下側始動入賞口４２への入賞に起因して取得した乱数値（数値データ）は、一旦保留記憶手段に記憶される。つまり、上記特別図柄（識別情報）の変動表示が保留されると共に、上記保留記憶手段に記憶した乱数値（数値データ）の記憶数（保留球数）、すなわち上記上側始動入賞口４１と下側始動入賞口４２への入賞回数が特別図柄変動保留球数として記憶される。
【００２６】
この特別図柄変動保留球数は、特別図柄変動保留球数表示器としての表示部１１に表示され、当否判定手段による当否判定が行われることに基づいて、この当否判定と対応する乱数値（数値データ）および上記特別図柄変動保留球数の記憶値（保留数）が減算され、上記表示部１１で特別図柄（識別情報）の変動表示が開始されることに基づいて、特別図柄変動保留球数表示器の保留球数の表示を減らすようにしている。尚、本実施形態では、上記上側始動入賞口４１と下側始動入賞口４２への入賞回数記憶値の上限値、すなわち特別図柄変動保留球数の上限値は当該変動中の記憶を除いて４つに設定されている。
【００２７】
上記特別図柄変動保留球数が設定上限数（４つ）まで記憶されている時には、上記上側始動入賞口検出スイッチと下側始動入賞口検出スイッチがそれ以上上記上側始動入賞口４１と下側始動入賞口４２への入賞遊技球を検出しても、特別図柄変動保留球数として記憶されない無効球とされ、その無効球については特別図柄の変動および当否判定を行うことなく、入賞に対する賞品球（賞品遊技球）が所定数払い出される。
【００２８】
上記右普通図柄変動開始用ゲート５６は、上記遊技盤２の背面に設けられた右普通図柄変動開始スイッチで右普通図柄変動開始用ゲート５６を通過する遊技球を検出するように構成されている。そして、右普通図柄変動開始用ゲート５６を通過する遊技球が検出されることに基づいて上記普通図柄表示部５０で普通図柄の変動を開始させる。
【００２９】
また、上記右普通図柄変動開始用ゲート５６を遊技球が通過することによって発生する普通図柄の変動を、最高４つ普通図柄変動保留球数として記憶する。具体的には、普通図柄変動保留球数表示器（図示せず）で普通図柄変動保留球数値を点灯表示する。普通図柄が変動を開始すると、普通図柄変動保留球数を減らし、普通図柄変動保留球数表示器における表示個数を減らす。
【００３０】
上記発射装置６４は、操作レバー６５の操作により駆動する発射モータを裏側に有し、この発射モータの駆動により遊技球を遊技領域６に向けて発射する。この発射装置６４により発射された発射球は、遊技盤２の表面に立設された内側誘導レール４と外側誘導レール３間で構成される発射球誘導路を介して遊技領域６に誘導される。遊技領域６に誘導された遊技球は、転動しつつ下方へ落下し、各入賞口５１、５２、５３、５４に入賞（入球）するか、あるいは何処にも入賞しなければ上記アウト口４８から遊技盤２の裏側へ排出される。
【００３１】
上記遊技機１の裏側には、図３に示すように、制御基板が収容される複数の制御基板ケースや装置等が設けられている。制御基板ケースの主なものとして、主制御基板ケース２００、サブ制御基板ケース２０５、表示制御基板ケース２１０、音声制御基板ケース２２０、払出制御基板ケース２４０、電源基板ケース２５０、発射制御基板ケース２６０等がある。符号２６５は外部端子、２８１は払出装置、２８３は球無し検出スイッチ、２８９は球貯留タンク、２９１は球誘導樋である。
【００３２】
主制御基板ケース２００、サブ制御基板ケース２０５、表示制御基板ケース２１０、音声制御基板ケース２２０は、上記裏セット盤２１の背面部に固定された取付部材２２の背面部に着脱可能に取り付けられている。また、払出制御基板ケース２４０、電源基板ケース２５０、発射制御基板ケース２６０は、前枠Ｗ２の背面部に着脱可能に取り付けられている。また、払出装置２８１は、各入賞口４１、４２、５１、５２、５３や大入賞口４５への１入賞球（入球）に対する所定個数の賞品球（遊技球）や、遊技者が購入した貸し球を上側球受け皿３６に払い出す。
【００３３】
主制御基板ケース２００に収容される主制御基板（不図示）は、遊技の進行を制御する主制御装置に相当し、少なくともＣＰＵ、ＲＡＭ、ＲＯＭおよび複数のカウンタを備えたマイクロコンピュータを備える。この主制御基板は、遊技情報や入球検出等の入力信号に従って遊技を制御し、遊技情報を記憶する記憶手段を備えた制御装置であって、サブ制御基板ケース２０５に収容されるサブ制御基板および払出制御基板ケース２４０に収容される払出制御基板（不図示）と電気的に接続される。
【００３４】
また、主制御基板は、図５に示される裏セット盤２１の背面部の右下角部に配置された中継基板２３を介して、上側始動入賞口検出スイッチ、下側始動入賞口検出スイッチ、入賞球数カウントスイッチ、左袖入賞口用検出スイッチ、右袖入賞口用検出スイッチ、左落とし入賞口用検出スイッチ、右落とし入賞口用検出スイッチや右普通図柄変動開始スイッチ、大入賞口開放用ソレノイド等とも電気的に接続されている。この主制御基板のＣＰＵは、制御プログラムを実行して遊技情報に従って遊技に関わる主制御を行う。
【００３５】
サブ制御基板ケース２０５に収容されるサブ制御基板（不図示）は、主制御基板から送信される制御信号に基づき電気装置の制御を行う従制御装置に相当し、ＣＰＵ、ＲＯＭ、ＲＡＭ、複数のカウンタを備えたマイクロコンピュータと、上記主制御基板とを結ぶ入出力回路と、表示制御基板ケース２１０に収容される表示制御基板やランプ中継基板、音声制御基板ケース２２０に収容される音声制御基板等と電気的に接続される入出力回路を備えている。また、サブ制御基板は、遊技ボタンスイッチ６７、上下左右ボタン６８や、図５に示される裏セット盤２１の内側に配設された各可動役物２５Ａ、２５Ｂをそれぞれ駆動する駆動モータ（不図示）や裏セット盤２１の前面部に配置されたカラーＬＥＤ等が配置された各発光部材２６が、中継基板２３を介して電気的に接続されている。
【００３６】
表示制御基板ケース２１０に収容される表示制御基板（不図示）は、ＣＰＵ、ＲＯＭ、ＲＡＭを備えたマイクロコンピュータと、サブ制御基板に電気的に接続される入力回路と上記表示装置１０に電気的に接続される出力回路等で構成され、サブ制御基板から出力される制御信号に基づき、上記表示装置１０に対して表示の制御を行う。音声制御基板ケース２２０に収容される音声制御基板（不図示）は、サブ制御基板から出力される信号により音声信号を合成し、アンプに出力する。アンプは音声信号を増幅してスピーカ３８に出力する。
【００３７】
払出制御基板ケース２４０に収容される払出制御基板（不図示）は、遊技球の払出を制御する払出制御手段に相当し、ＣＰＵ、ＲＯＭ、ＲＡＭを備えたマイクロコンピュータを有する。払出制御基板は、上記主制御基板と電気的に接続され、主制御基板から出力される制御信号を受信して払出装置２８１を制御して指示された個数の賞球を払い出す。電源基板ケース２５０に収容される電源基板（不図示）は、遊技機１の外部より供給される交流（ＡＣ）２４Ｖの主電源から遊技機１に適する所定電圧の遊技機用電源を生成して主制御基板ケース２００やサブ制御基板ケース２０５、払出制御基板ケース２４０等に供給する。
【００３８】
また、図１に示すように、前枠Ｗ２の操作レバー６５の上側には、前枠Ｗ２及びガラス枠Ｇを施錠する施錠装置（不図示）を操作するための鍵挿入部７１が設けられている。この鍵挿入部７１に所定のキーを挿入して所定方向、例えば、右方向に回せば、施錠装置のロック状態が解除されて、ガラス枠Ｇのみがオープンされる。一方、鍵挿入部７１に所定のキーを挿入して所定方向に対して反対側方向、例えば、左方向に回せば、施錠装置のロック状態が解除されて、前枠Ｗ２及びガラス枠Ｇが一体的に外枠Ｗ１に対してオープンされる。
【００３９】
これにより、外枠Ｗ１に対して前枠Ｗ２及びガラス枠Ｇを一体的にオープンして、前枠Ｗ２の背面側に配置された主制御基板ケース２００、サブ制御基板ケース２０５、表示制御基板ケース２１０、音声制御基板ケース２２０、払出制御基板ケース２４０、電源基板ケース２５０、発射制御基板ケース２６０等の取り付け及び取り外しが可能となり修理交換や点検が可能となる。尚、鍵挿入部７１に挿入する所定のキーは、遊技機１を管理する遊技機管理者によって保管管理される。
【００４０】
次に、略板状に形成された遊技盤２の裏面に取り付けられた裏セット盤２１及び取付部材２２の概略構成について図４乃至図９に基づいて説明する。尚、図４乃至図９において、取付部材２２の背面部には、サブ制御基板ケース２０５、表示制御基板ケース２１０、音声制御基板ケース２２０が表示装置取付部２２Ａの背面部に配置される、つまり、主制御基板ケース２００よりも上方に配置されるが、図示されていない。
【００４１】
図４及び図５に示すように、裏セット盤２１は、遊技盤２に対向した遊技盤２の外郭形状よりも僅かに小さい形状に形成された略矩形状の主板壁８１と、主板壁８１の外周縁部から前方に突出した囲い壁８２とを有し、前方に開口する略箱体状に形成されている。そして、裏セット盤２１は、囲い壁８２の左側壁部の上下端部において、左側壁部の前端部から側方へ張り出した各鍔部８３に形成された各貫通孔８３Ａと、囲い壁８２の右側壁部の前端部の上下方向全幅に渡って側方に張り出した鍔部８４の上下端部に形成された各貫通孔８４Ａが、遊技盤２の背面部に立設された不図示の取付ボスにネジ止めによって固定されている。
【００４２】
そして、裏セット盤２１において、遊技盤２との間に画成される空間に各可動役物２５Ａ、２５Ｂや各可動役物２５Ａ、２５Ｂを駆動する駆動モータ、カラーＬＥＤ等が配置された各発光部材２６等が設置されている。また、裏セット盤２１の主板壁８１には、包囲枠体８の表示窓７と前後に整列する位置に、表示装置１０の表示画面より僅かに小さい略矩形の開口部２１Ａが前後に開口するように開設されている。
【００４３】
開口部２１Ａの背面側周縁部には、表示装置１０が設置される設置領域８５を略四角枠状に囲むように後側に突出する規制壁８６が設けられている。この規制壁８６は、設置領域８５の上側を左右方向に区画する上規制壁８６Ａ、設置領域８５の左側を上下方向に区画する左規制壁８６Ｂ、設置領域８５の右側を上下方向に区画する右規制壁８６Ｃ、設置領域８５の下側を左右方向に区画する下規制壁８６Ｄとから構成されている。
【００４４】
左規制壁８６Ｂの下端部と下規制壁８６Ｄとの間には、左右方向所定幅（例えば、幅約８ｃｍである。）の切欠部８７が形成されている。そして、下規制壁８６Ｄの左端部から裏セット盤２１の下端面から約２ｃｍ上側まで、この下規制壁８６Ｄの左端部から略直角下側方向に沿って後側へ突出する配線規制壁８８が設けられている。また、下規制壁８６Ｄと配線規制壁８８によって囲まれる所定幅（例えば、幅１５ｍｍである。）の部分には、正面視略Ｌ字状に所定深さ（例えば、深さ約５ｍｍである。）前側方向へ窪む配線用凹部８９が形成されている。
【００４５】
また、配線規制壁８８の後端部には、下端近傍位置から配線用凹部８９の上側を左右方向略中央部よりも少し右側まで覆うように略直角右側方向に突出する幅の狭い板状の規制片８８Ａが設けられている。また、配線用凹部８９の配線規制壁８８に対向する側面の後端部には、配線規制壁８８の上下方向中央位置に相対向する位置から配線用凹部８９の上側を左右方向略中央部よりも少し左側まで覆うように略直角左側方向に突出する幅の狭い板状の規制片９１が設けられている。
【００４６】
また、下規制壁８６Ｄに相対向する配線用凹部８９の側面側には、下規制壁８６Ｄの左端部近傍位置、下規制壁８６Ｄの左右方向略中央位置、及びこれらの間の略中央位置の３箇所に、配線用凹部８９の底面から後側方向へほぼ下規制壁８６Ｄと同じ高さまで延出された後、上側に向かって下規制壁８６Ｄの近くまで延出された幅の狭い３個のフック片９２が設けられている。
【００４７】
また、下規制壁８６Ｄの左端部の左側に形成された切欠部８７の下方には、主板壁８１の左端部の下端位置から左規制壁８６Ｂの下端までの間の略中央位置から右方向へ切欠部８７の左右方向幅の約１／３の長さに渡って所定幅（例えば、幅約１５ｍｍである。）で所定深さ（例えば、深さ約１０ｍｍである。）窪んだ後、配線規制壁８８の下端部まで斜め右下方向に向かって所定幅（例えば、幅約１５ｍｍである。）で所定深さ（例えば、深さ約１０ｍｍである。）窪んだ配線用凹部９３が設けられている。
【００４８】
また、配線用凹部９３の配線規制壁８８側の下端部近傍には、配線用凹部９３の上側側面の後端部から配線用凹部９３の上側を中央部よりも少し斜め左下側まで覆うように略直角左斜め下方向に突出する幅の狭い板状の規制片９３Ａが設けられている。また、配線用凹部９３の左右方向水平部分の右端部には、配線用凹部９３の下側側面の後端部から配線用凹部９３の上側を中央部よりも少し上側まで覆うように略直角上側方向に突出する規制片９３Ｂが設けられている。
【００４９】
また、裏セット盤２１の囲い壁８２の左側壁部の前端縁には、配線用凹部９３の左端部に対して前後方向に対向する位置に、所定上下幅（例えば、幅約２５ｍｍである。）で所定深さ後側方向へ側面視矩形状に切り欠かれた切欠部９５が形成されている。従って、この切欠部９５を介して、遊技盤２の裏面に配設された右普通図柄変動開始スイッチ、入賞球数カウントスイッチ、右落とし入賞口用検出スイッチや右袖入賞用検出スイッチ等や、裏セット盤２１の内側に設置された可動役物２５Ｂの駆動モータ等に電気的に接続された複数の配線が、遊技盤２の裏面に取り付けられた裏セット盤２１の内側から配線用凹部９３側へ引き出されるように構成されている。
【００５０】
また、下規制壁８６Ｄの下側に設けられた配線用凹部８９の左右方向略中央部から右端部までの下側には、主板壁８１の下端部近傍まで所定深さ（例えば、深さ約１０ｍｍである。）窪んだ正面視略四角形で左端縁部の上半分の部分が更に左側方向に正面視矩形状に延出された基板配置用凹部９６が設けられている。
【００５１】
基板配置用凹部９６の正面視右下角部には、囲い壁８２の下側壁部の前後方向全幅に渡って、左右方向所定幅（例えば、幅約１５ｍｍである。）で上側方向に所定高さ（例えば、高さ約５ｍｍである。）窪む配線用凹部９７が設けられている。この配線用凹部９７の左側下端縁部には、図９に示すように、前後方向中央部から配線用凹部９７の下側を左右方向全幅に渡って覆うように略直角右側方向に突出する幅の狭い板状の規制片９７Ａが設けられている。
【００５２】
従って、この配線用凹部９７を介して、遊技盤２の裏面に配設された上側始動入賞口検出スイッチ、下側始動入賞口検出スイッチ、左袖入賞口用検出スイッチ、左落とし入賞口用検出スイッチ等や、裏セット盤２１の内側に設置された可動役物２５Ａの駆動モータ、各発光部材２６等に電気的に接続された複数の配線が、遊技盤２の裏面に取り付けられた裏セット盤２１の内側から、後述のように中継基板２３側へ引き出されるように構成されている。
【００５３】
また、図４及び図５に示すように、基板配置用凹部９６の下端縁部には、後側方向へ配線用凹部８９の上端面とほぼ同じ高さになるように突出した複数、例えば、３個の薄板状の下側規制片９８が設けられている。また、基板配置用凹部９６の右端縁部には、下端部から上下方向略中央部まで、下規制壁８６Ｄの後側方向の先端部とほぼ同じ高さになるように後側に突出する右側規制壁９９が形成されている。従って、右側規制壁９９の上下方向の上端部と配線用凹部８９の上下方向の下端部との間には、所定隙間が形成されている。
【００５４】
そして、基板配置用凹部９６には、基板配置用凹部９６の底面部とほぼ同じ形状の中継基板２３が取り付けられている。この中継基板２３には、遊技盤２の裏面に配設された上側始動入賞口検出スイッチ、下側始動入賞口検出スイッチ、入賞球数カウントスイッチ、左袖入賞口用検出スイッチ等や、裏セット盤２１の内側に設置された各可動役物２５Ａ、２５Ｂの駆動モータや各発光部材２６等に電気的に接続された配線の先端部に電気的に接続されたコネクタ（第１接続部）がコネクタ接続される複数のコネクタ１０１（第２接続部）が配置されている。
【００５５】
ここで、中継基板２３にコネクタ接続される複数の配線の引き回しについて図５、図８及び図９に基づいて説明する。図５、図８及び図９に示すように、裏セット盤２１の囲い壁８２の左側壁部の前端縁に形成された切欠部９５から引き出された複数の配線Ｆ１は、主板壁８１の左下角部に設けられた配線用凹部９３の上側を覆う各規制片９３Ａ、９３Ｂの先端部と配線用凹部９３の側面部との隙間から当該配線用凹部９３内に通されて斜め右下方向へ引き出される。
【００５６】
続いて、複数の配線Ｆ１は、配線規制壁８８の下端部から配線規制壁８８の右側に設けられた配線用凹部８９の上側を覆う各規制片８８Ａ、９１の先端部と配線用凹部８９の側面部との隙間から当該配線用凹部８９内に通されて、上方へ引き出された後、下規制壁８６Ｄの下端面に沿って略直角右側方向へ引き出される。そして、複数の配線Ｆ１は、下規制壁８６Ｄの下側の配線用凹部８９に設けられた各フック片９２に下方側へ押し込まれた後、下方側へ略Ｕ字状に折り曲げられて、各配線Ｆ１の先端部に取り付けられたコネクタが中継基板２３上に配置された複数のコネクタ１０１にそれぞれ挿入されてコネクタ接続される。
【００５７】
また、主板壁８１の右下角部において、囲い壁８２の下側壁部の前後方向全幅に渡って形成された配線用凹部９７から引き出された複数の配線Ｆ２は、配線用凹部９７の前後方向中央部から配線用凹部９７の下側を左右方向全幅に渡って覆うように突出する規制片９７Ａの上側へ押し込まれた後、基板配置用凹部９６の下側規制片９８と右側規制壁９９との間に形成された隙間から中継基板２３上に引き出される。続いて、各配線Ｆ２の先端部に取り付けられたコネクタが、中継基板２３上に配置された複数のコネクタ１０１にそれぞれ挿入されてコネクタ接続される。
【００５８】
そして、例えば、上側始動入賞口検出スイッチ、下側始動入賞口検出スイッチ、入賞球数カウントスイッチ、左袖入賞口用検出スイッチ、右袖入賞口用検出スイッチ、左落とし入賞口用検出スイッチ、右落とし入賞口用検出スイッチや右普通図柄変動開始スイッチ等の入力信号は、中継基板２３にコネクタ接続された複数の配線Ｆ３を介して主制御基板ケース２００に設けられたコネクタにコネクタ接続される。
【００５９】
また、図４乃至図７に示すように、取付部材２２は、表示装置１０が前面側から装着される正面視略四角形状で扁平な略箱体状の表示装置取付部２２Ａと、表示装置取付部２２Ａの背面部の下端縁部から下方に延出された正面視横長四角形で略板状の基板ケース取付部２２Ｂとから構成されている。この基板ケース取付部２２Ｂは、主板壁８１の下規制壁８６Ｄの左右方向長さにほぼ等しい幅で、下規制壁８６Ｄと配線規制壁８８とで囲まれた主板壁８１の下端縁部までの部分をほぼ覆うように構成されている（図８、図９参照）。
【００６０】
表示装置取付部２２Ａの上側側面部には、正面視矩形状で板状の位置決め用突部１０３が左右に離間する２箇所に突設されている。一方、表示装置１０が設置される設置領域８５の上側を左右方向に区画する上規制壁８６Ａには、左右に離間する２箇所に、各位置決め用突部１０３が嵌入される正面視矩形状で上側方向に窪む凹部１０５が形成されている。また、各凹部１０５には、各位置決め用突部１０３に形成された位置決孔１０３Ａに嵌入される位置決めボス１０５Ａが後側へ突出している。また、各凹部１０５には、各位置決め用突部１０３の位置決孔１０３Ａの横側に設けられたネジ挿通孔１０３Ｂに対向する位置に、ネジ孔１０５Ｂが形成されている。
【００６１】
表示装置取付部２２Ａの左右側面部の下方には、正面視矩形状で板状の係止突部１０６がそれぞれ設けられている。各係止突部１０６の中央部には、ネジ挿通孔１０６Ａが形成されている。一方、表示装置１０が設置される設置領域８５の左側を上下方向に区画する左規制壁８６Ｂには、表示装置取付部２２Ａの正面視左側の係止突部１０６が嵌入される切欠部１０７が形成されると共に、正面視矩形状で係止突部１０６が載置される載置部１０７Ａが左側へ突出して形成されている。また、載置部１０７Ａの中央部には、係止突部１０６のネジ挿通孔１０６Ａに対向する位置に、ネジ孔１０７Ｂが形成されている。
【００６２】
また、表示装置１０が設置される設置領域８５の右側を上下方向に区画する右規制壁８６Ｃには、表示装置取付部２２Ａの正面視右側の係止突部１０６が嵌入される正面視矩形状で右側方向に窪む凹部１０８が形成されている。また、凹部１０８の中央部には、係止突部１０６のネジ挿通孔１０６Ａに対向する位置に、ネジ孔１０８Ａが形成されている。従って、表示装置取付部２２Ａの各位置決め用突部１０３を、上規制壁８６Ａに設けられた各凹部１０５に嵌入して、各位置決孔１０３Ａに各位置決めボス１０５Ａを嵌入する。
【００６３】
また同時に、表示装置取付部２２Ａの各係止突部１０６を、左規制壁８６Ｂに設けられた切欠部１０７に嵌入すると共に、右規制壁８６Ｃに設けられた凹部１０８に嵌入して、表示装置取付部２２Ａを設置領域８５に設置する。そして、各位置決め用突部１０３のネジ挿通孔１０３Ｂと各係止突部１０６のネジ挿通孔１０６Ａにネジを挿通して、各ネジ孔１０５Ｂ、１０７Ｂ、１０８Ａにネジ止めすることで、取付部材２２が主板壁８１の背面部に位置決め固定される。
【００６４】
また、図６及び図７に示すように、表示装置取付部２２Ａの下端縁部から下方に延出された正面視横長四角形で略板状の基板ケース取付部２２Ｂの背面部には、左端縁部の上下に離間した２箇所に、右側方向に開口した上下方向に長い正面視長方形の差込み口１１１が一体成形されている。また、基板ケース取付部２２Ｂの背面部には、右端縁部の上下方向中央部に、下端部が上下方向に回動可能に支持されると共に、上端部にナイラッチ１１２Ａが設けられた上下方向に長い正面視縦長四角形のナイラッチレバー１１２が設けられている。また、基板ケース取付部２２Ｂの下端縁部には、所定高さ（例えば、高さ約５ｍｍである。）のリブ１１５が後側方向へ突出するように設けられている。
【００６５】
このナイラッチレバー１１２は、上端部を円筒状の取付ボス１１３に当接させてナイラッチ１１２Ａの本体部を嵌入してプランジャー頭部を押し込むことによって取付ボス１１３に上端部が固定され、ナイラッチ１１２Ａのプランジャー頭部を本体部から抜くことによって上端部が取付ボス１１３から離脱可能になる。また、ナイラッチレバー１１２の上端部を取付ボス１１３に固定した場合には、左側方向に開口した差込み口が形成される。
【００６６】
また、主制御基板ケース２００の左側面には、差込み口１１１に嵌入される平板状の係止突部２００Ａが上下に離間する２箇所に設けられている。また、主制御基板ケース２００の右側面には、ナイラッチレバー１１２によって上側から押圧される平板状の係止突部２００Ｂが上下方向中央部に設けられている。
【００６７】
従って、主制御基板ケース２００の各係止突部２００Ａを各差込み口１１１に嵌入して係合する。そして、主制御基板ケース２００の係止突部２００Ｂをナイラッチレバー１１２の基端部と取付ボス１１３との間に当接した状態で、ナイラッチレバー１１２を上方向に回動して、ナイラッチレバー１１２の上端部を取付ボス１１３にナイラッチ１１２Ａで固定する。これにより、主制御基板ケース２００が基板ケース取付部２２Ｂの背面部に位置決め固定される（図４参照）。一方、ナイラッチレバー１１２のナイラッチ１１２Ａを取付ボス１１３から離脱させて、ナイラッチレバー１１２を下方向に回動させることによって、主制御基板ケース２００を基板ケース取付部２２Ｂから取り外すことが可能となる。
【００６８】
また、図７乃至図９に示すように、基板ケース取付部２２Ｂには、取付部材２２を主板壁８１の背面部に位置決め固定した場合に、各フック片９２が配置された配線用凹部８９と、中継基板２３が配置された基板配置用凹部９６とに対向する部分が貫通された孔部１１７が形成されている。つまり、孔部１１７は、基板ケース取付部２２Ｂの上端縁部に沿って上下方向所定幅（例えば、幅約２５ｍｍである。）で、配線規制壁８８に対向する位置から中継基板２３の各コネクタ１０１が配置されている右端部近傍に対向する位置までの左右長さで貫通する横長孔部１１７Ａと、横長孔部１１７Ａの右端縁部から左側に基板配置用凹部９６の左端縁部よりも僅かに広い幅（例えば、幅約６０ｍｍである。）で下端部近傍まで貫通する矩形状孔部１１７Ｂとから構成されている。
【００６９】
従って、図８及び図９に示すように、取付部材２２から主制御基板ケース２００を取り外すことによって、中継基板２３及び中継基板２３に配置された各コネクタ１０１にコネクタ接続された複数の各配線Ｆ１、Ｆ２のコネクタが孔部１１７の矩形状孔部１１７Ｂを介して露出される。また、複数の配線Ｆ１を配線用凹部８９に保持する各フック片９２が孔部１１７の横長孔部１１７Ａを介して露出される。一方、主制御基板ケース２００をナイラッチレバー１１２を介して基板ケース取付部２２Ｂに取り付け固定することによって、孔部１１７は主制御基板ケース２００によって全面が覆われ、埃等の進入を抑止し、中継基板２３及び各配線Ｆ１、Ｆ２の破損や汚れを簡易な構成で防止することが可能となる。
【００７０】
以上詳細に説明した通り、本実施形態に係る遊技機１では、取付部材２２を裏セット盤２１の背面部に取り付けた状態で、主制御基板ケース２００を取り外すことによって、中継基板２３及び中継基板２３に配置された各コネクタ１０１にコネクタ接続された複数の各配線Ｆ１、Ｆ２のコネクタが孔部１１７の矩形状孔部１１７Ｂを介して露出される。また、複数の配線Ｆ１を配線用凹部８９に保持する各フック片９２が孔部１１７の横長孔部１１７Ａを介して露出される。
【００７１】
これにより、主制御基板ケース２００を取り外すだけで、中継基板２３に配置された各コネクタ１０１にコネクタ接続された複数の各配線Ｆ１、Ｆ２のコネクタの取り外し作業や、再度の取り付け作業を簡単に行うことが可能となり、作業の迅速化を図ることが可能となる。また、各配線Ｆ１、Ｆ２のコネクタを中継基板２３に配置された各コネクタ１０１から取り外すことによって、遊技盤２上に配置された大入賞口４５の開閉板４６を開閉する大入賞口開放用ソレノイド、下側始動入賞口４２の開閉扉４２Ａを開閉する下側始動入賞口用ソレノイド、入賞球数カウントスイッチ等や、裏セット盤２１の内側に配設された各可動役物２５Ａ、２５Ｂをそれぞれ駆動する駆動モータや裏セット盤２１の前面部に配置された各発光部材２６等の電気的点検や動作確認等を迅速に行うことが可能となる。
【００７２】
また、複数の配線Ｆ１は、各配線Ｆ１のコネクタを中継基板２３に配置された各コネクタ１０１から取り外した後、配線用凹部８９の各フック片９２から取り外し、続いて、配線用凹部９３から取り外すことによって、裏セット盤２１の囲い壁８２の左側壁部の前端縁に形成された切欠部９５から裏セット盤２１の内側に引き出すことが可能となる。これにより、遊技盤２の裏面に配設された大入賞口開放用ソレノイド、右普通図柄変動開始スイッチ、入賞球数カウントスイッチ、右落とし入賞口用検出スイッチや右普通図柄変動開始スイッチ等や、裏セット盤２１の内側に設置された可動役物２５Ｂの駆動モータ等の交換、修理を迅速に行うことが可能となる。
【００７３】
また、複数の配線Ｆ２は、各配線Ｆ２のコネクタを中継基板２３に配置された各コネクタ１０１から取り外した後、下側規制片９８と右側規制壁９９との間に形成された隙間から、つまり、基板配置用凹部９６の右下角部から引き出し、配線用凹部９７から取り外すことによって、裏セット盤２１の囲い壁８２の下側壁部の前端部と遊技盤２の裏面との隙間から裏セット盤２１の内側に引き出すことが可能となる。これにより、遊技盤２の裏面に配設された下側始動入賞口用ソレノイド、左袖入賞口５１の入賞球を検出する左袖入賞口用検出スイッチ、左落とし入賞口５２の入賞球を検出する左落とし入賞口用検出スイッチ等や、裏セット盤２１の内側に設置された可動役物２５Ａの駆動モータや各発光部材２６等の交換、修理を迅速に行うことが可能となる。
【００７４】
また、基板配置用凹部９６は、裏セット盤２１の主板壁８１の右下角部に設けられているため、複数の配線Ｆ２の裏セット盤２１の内側から背面側への引き出しを容易に行うことが可能となる。
【００７５】
尚、本発明は前記実施形態に限定されることはなく、本発明の要旨を逸脱しない範囲内で種々の改良、変形が可能であることは勿論である。例えば、以下のようにしてもよい。
【００７６】
（Ａ）例えば、基板配置用凹部９６を配線用凹部８９の左右方向中央部又は左端部分の下方に設けるようにしてもよい。そして、取付部材２２の基板ケース取付部２２Ｂに設けられる孔部１１７の矩形状孔部１１７Ｂを基板配置用凹部９６に対向するように左右方向略中央部又は左端部分に設けるようにしてもよい。これにより、上記遊技機１と同じ作用効果を奏することが可能となる。
【００７７】
（Ｂ）また、例えば、取付部材２２の表示装置取付部２２Ａと基板ケース取付部２２Ｂとを別体にそれぞれ設け、裏セット盤２１の主板壁８１の背面部に取り付けるようにしてもよい。そして、当該基板ケース取付部２２Ｂに孔部１１７を形成することにより、上記遊技機１と同じ作用効果を奏することが可能となる。
【００７８】
（Ｃ）また、例えば、基板ケース取付部２２Ｂに形成された孔部１１７に替えて、矩形状孔部１１７Ｂの下端縁部が、基板ケース取付部２２Ｂの下端部まで切り欠かれた切欠部を設けるようにしてもよい。これにより、上記遊技機１と同じ作用効果を奏することが可能となる。
【００７９】
（Ｄ）また、例えば、基板配置用凹部９６を裏セット盤２１の主板壁８１の右上角部、又は、左上角部に設けるようにしてもよい。そして、取付部材２２の基板ケース取付部２２Ｂを表示装置取付部２２Ａの上側に設けるようにしてもよい。これにより、上記遊技機１と同じ作用効果を奏することが可能となる。
【００８０】
（Ｅ）また、本発明に係わる遊技機を具体化した実施形態について上記に説明したが、遊技機は以下の構成を有することも可能であり、その場合には、以下の効果を奏する。
【００８１】
（付記１）例えば、第１の構成に係る遊技機は、複数の部材を組み立てることで構成された組立構成体と、前記複数の部材に設けられた電気部品に電気的に接続された複数の配線部材と、前記複数の配線部材の端部に取り付けられて該端部を電気的に接続するための複数の第１接続部と、を備えた遊技機において、前記複数の部材とは異なる第１部材を配置可能であると共に、前記組立構成体の所定位置に取り付け可能な取付部材と、前記組立構成体に前記第１部材に対向しないように設けられて、前記複数の第１接続部が電気的に接続される複数の第２接続部が配設された接続用配設部と、を備え、前記取付部材は、前記第１部材が配置される部分よりも外側に形成されて、該取付部材を前記組立構成体の所定位置に取り付けた場合に、少なくとも前記接続用配設部が露出する孔部又は切欠部を有し、前記取付部材を前記組立構成体の所定位置に取り付けた状態で、前記孔部又は前記切欠部を介して前記複数の第１接続部を前記複数の第２接続部に取り付け及び取り外し可能に構成されていることを特徴とする。
【００８２】
このような第１の構成を有する遊技機では、接続用配設部を覆う取付部材を外すことなく、接続用配設部に電気的に接続された配線部材の取り外しや取り付け作業を簡単に行うことが可能となる。つまり、第１部材を配置可能な取付部材を組立構成体の所定位置に取り付けた状態で、孔部又は切欠部を介して複数の配線部材の第１接続部を接続用配設部の複数の第２接続部に取り付け及び取り外し可能に構成されている。これにより、取付部材を組立構成体に取り付けた状態で、取付部材に形成された孔部又は切欠部を介して、配線部材の端部に取り付けられた第１接続部と、接続用配設部の第２接続部との取り外しや取り付け作業を簡単に行うことが可能となる。従って、取付部材の孔部又は切欠部に重なって取り付けられた部材を取り外すだけで、この孔部又は切欠部が露出するため、接続用配設部に電気的に接続された配線部材の取り外しや取り付け作業を迅速に行うことが可能となる。
【００８３】
（付記２）また、例えば、第２の構成に係る遊技機は、上記第１の構成に係る遊技機において、前記組立構成体は、前記接続用配設部が配設された周囲に平坦部を有し、前記孔部又は前記切欠部は、周縁部から前記平坦部上に延出された延出孔部又は延出切欠部を有し、前記複数の配線部材は、前記平坦部に取り付け可能に配置された複数の第１配線部材を含み、前記複数の第１配線部材は、前記延出孔部又は前記延出切欠部を介して前記平坦部に取り付け及び取り外し可能に構成されていることを特徴とする。
【００８４】
上記第２の構成を有する遊技機では、接続用配設部が配設された周囲に設けられた平坦部に取り付け可能に配置された複数の第１配線部材は、孔部又は切欠部の周縁部から平坦部上に延出された延出孔部又は延出切欠部を介して、平坦部に取り付け及び取り外し可能に構成されている。これにより、取付部材の孔部又は切欠部に重なって取り付けられた部材を取り外すだけで、平坦部に配設された第１配線部材の取り付け及び取り外しを簡単に行うことが可能となる。
【００８５】
（付記３）また、例えば、第３の構成に係る遊技機は、上記第１の構成又は上記第２の構成に係る遊技機において、前記組立構成体は、遊技盤と、前記遊技盤の背面側に配設される前面側が開放された略箱体状の裏セット盤と、を有し、前記裏セット盤は、背面部に前記接続用配設部が配置可能に所定深さ窪むように形成された配置用凹部を有し、前記複数の配線部材は、前記配置用凹部と前記取付部材との間に形成された隙間から前記接続用配設部上に引き出される複数の第２配線部材を含み、前記第２配線部材は、前記孔部又は前記切欠部を介して前記複数の第１接続部を前記複数の第２接続部に取り付け及び取り外し可能に構成されていることを特徴とする。
【００８６】
上記第３の構成を有する遊技機では、遊技盤の背面側に配設された略箱体状の裏セット盤の背面に形成された配置用凹部に接続用配設部が配置される。従って、取付部材に形成された孔部又は切欠部を介して第２配線部材を接続用配設部から取り外した後、配置用凹部と取付部材との間に形成された隙間から引き出すことができる。これにより、接続用配設部に電気的に接続された第２配線部材の取り外しや取り付け作業を更に迅速に行うことが可能となる。
【００８７】
（付記４）また、例えば、第４の構成に係る遊技機は、上記第３の構成に係る遊技機において、前記配置用凹部は、前記裏セット盤の下側角部又は上側角部に形成されていることを特徴とする。
【００８８】
上記第４の構成を有する遊技機では、接続用配設部が配置される配置用凹部は、裏セット盤の下側角部又は上側角部に形成されているため、配線部材の裏セット盤の内側から背面側への引き出しを容易に行うことができる。
【００８９】
（付記５）また、例えば、第５の構成に係る遊技機は、上記第１の構成乃至上記第４の構成のいずれかに係る遊技機において、前記第１部材は、前記取付部材の前記組立構成体に対向する前面部に取り付けられる表示装置を含み、前記取付部材の前記表示装置に対向する背面部に着脱可能に配置される第１制御基板収容部と、前記取付部材の前記第１制御基板収容部の下側に着脱可能に配置される第２制御基板収容部と、を備え、前記孔部又は前記切欠部は、前記第２制御基板収容部によって覆われることを特徴とする。
【００９０】
上記第５の構成を有する遊技機では、第２制御基板収容部を取付部材から取り外すことによって、孔部又は切欠部が露出するため、接続用配設部に電気的に接続された配線部材の取り外しや取り付け作業を迅速に行うことが可能となる。また、孔部又は切欠部は、第２制御基板収容部によって覆われるため、接続用配設部及び配線部材の破損や汚れを簡易な構成で防止することが可能となる。
【００９１】
（付記６）また、例えば、第６の構成に係る遊技機は、上記第３の構成乃至上記第５の構成のいずれかに係る遊技機において、前記電気部品は、前記遊技盤上に配置された遊技部品を含むことを特徴とする。
【００９２】
上記第６の構成を有する遊技機では、取付部材に形成された孔部又は切欠部を介して、遊技盤上に配置された遊技部品に接続された配線部材の端部に取り付けられた第１接続部と、接続用配設部の第２接続部との取り外しや取り付け作業を簡単に行うことが可能となる。従って、取付部材に形成された孔部又は切欠部を介して、遊技盤上に配置された遊技部品の電気的点検や動作確認等を迅速に行うことが可能となる。
【００９３】
（付記７）また、例えば、第７の構成に係る遊技機は、上記第３の構成乃至上記第６の構成のいずれかに係る遊技機において、前記電気部品は、前記裏セット盤の内側に配置された可動役物又は発光部材を含むことを特徴とする。
【００９４】
上記第７の構成を有する遊技機では、取付部材に形成された孔部又は切欠部を介して、裏セット盤の内側に配置された可動役物又は発光部材に接続された配線部材の端部に取り付けられた第１接続部と、接続用配設部の第２接続部との取り外しや取り付け作業を簡単に行うことが可能となる。従って、取付部材に形成された孔部又は切欠部を介して、裏セット盤の内側に配置された可動役物又は発光部材の電気的点検や動作確認等を迅速に行うことが可能となる。
【符号の説明】
【００９５】
１      遊技機
２      遊技盤
２１      裏セット盤
２２      取付部材
２３      中継基板
１１７    孔部
【図１】
0006281097.tif 000002
【図２】
0006281097.tif 000003
【図３】
0006281097.tif 000004
【図４】
0006281097.tif 000005
【図５】
0006281097.tif 000006
【図６】
0006281097.tif 000007
【図７】
0006281097.tif 000008
【図８】
0006281097.tif 000009
【図９】
0006281097.tif 000010